(57)【要約】【課題】  手関節を所定の角度背屈させて安定させることが容易であり、かつ患者の自己抜去を防止する関節抑制具を提供する。【解決手段】  本発明に係る関節抑制具１００は、凹状に湾曲して形成された内壁面１０が前腕及び手を収容して手関節を抑制する関節抑制具１００であって、内壁面１０に設けられ、前腕の後面Ａを支持する前腕支持面１１と、内壁面１０に設けられ、背屈した状態の手の甲Ｂを支持する手背支持面１２と、手背支持面１２から離隔して配置され、親指Ｔを親指Ｔ以外の四指Ｆ１，Ｆ２，Ｆ３，Ｆ４から分離して支持する親指分離体３０とを備え、四指Ｆ１，Ｆ２，Ｆ３，Ｆ４が屈曲した場合、親指分離体３０が、四指Ｆ１，Ｆ２，Ｆ３，Ｆ４いずれの指先も親指Ｔの指先に到達するのを阻止する。【選択図】  図４
2017000651.tif 000002
【特許請求の範囲】
【請求項１】
凹状に湾曲して形成された内壁面が前腕及び手を収容して手関節を抑制する関節抑制具であって、
前記内壁面に設けられ、前腕の後面を支持する前腕支持面と、
前記内壁面に設けられ、背屈した状態の手の甲を支持する手背支持面と、
前記手背支持面から離隔して配置され、親指を親指以外の四指から分離して支持する親指分離体とを備え、
前記四指が屈曲した場合、前記親指分離体が、前記四指いずれの指先も親指の指先に到達するのを阻止する
ことを特徴とする関節抑制具。
【請求項２】
前記親指分離体が板状に形成されており、
前記親指分離体の一の面に親指が支持され、
前記親指分離体の他の面と前記手背支持面との間に前記四指が収容される
ことを特徴とする請求項１に記載の関節抑制具。
【請求項３】
前記内壁面に対向する外壁面に繋げられて設けられた第一の平面をさらに備える
ことを特徴とする請求項１又は２に記載の関節抑制具。
【請求項４】
前記外壁面から突出する突起体に前記第一の平面が設けられている
ことを特徴とする請求項３に記載の関節抑制具。
【請求項５】
発泡樹脂で一体に成形されている
ことを特徴とする請求項１〜４のいずれかに記載の関節抑制具。
【請求項６】
請求項４に記載の関節抑制具と、
前記第一の平面と平行な第二の平面を有し、前記関節抑制具の前記突起体を収容して前記関節抑制具と合体する台座とを備える
ことを特徴とする関節抑制台。
【発明の詳細な説明】
【技術分野】
【０００１】
本発明は、手関節の動きを抑制する関節抑制具に関し、特に、観血的動脈圧測定等で橈骨動脈を穿刺する際に手関節を安静にするための関節抑制具に関する。
【背景技術】
【０００２】
血圧の測定方法による分類として、上腕にマンシェットを巻いて測定する非観血的血圧と、血管にカテーテル等を挿入して測定する観血的血圧とがある。このうち、動脈にカテーテル等を挿入して測定される血圧は観血的動脈圧と呼ばれ、ショック時の低血圧状態を含めどのような場合でも測定が可能であり、また時々刻々変化する血圧をリアルタイムかつ連続的に測定することが可能であるため、ＩＣＵ（Ｉｎｔｅｎｓｉｖｅ  Ｃａｒｅ  Ｕｎｉｔ；集中治療室）等のクリティカルケアを必要とする場面で使用される。通常の観血的動脈圧の測定は、橈骨動脈にカテーテルを挿入して行われる。
【０００３】
また、観血的動脈圧の測定以外にも、例えば心臓カテーテル検査におけるカテーテルの挿入位置として橈骨動脈が選択される場合があり、この場合も橈骨動脈にカテーテルが挿入される。
【０００４】
橈骨動脈を穿刺するに際して、手関節の橈骨動脈を上に向けて安定させる必要がある。橈骨動脈が上を向いた状態で安定させる方法として、手関節の背側に小さな枕やタオルを置いて、手関節を背屈させた状態で手をテープで固定する方法が知られている。
【０００５】
橈骨動脈を穿刺するためには、手関節を所定の角度背屈させる必要があるが、上述の方法では、手の大きさによって手関節の背屈する角度が異なるため、患者の手の大きさに応じて手関節の背側に置いた枕やタオルの高さを調節しなければならず、橈骨動脈を穿刺するまでに時間がかかるという問題があった。また、手関節の背側だけをかさ上げして支持しているため、姿勢が安定しにくいという問題があった。
【０００６】
これに対して、橈骨動脈を穿刺する際に姿勢を維持するための器具として、前腕を載置する枕と、手関節を９０°背屈させた状態で掌を固定するバンドとからなる器具が知られている（特許文献１参照）。特許文献１に記載の器具を用いれば、前腕部が長手方向に沿って支持されつつ橈骨動脈が上を向いた状態で安定する。
【０００７】
しかし、特許文献１に記載の器具は、掌をバンドで押さえつけることによって手関節を９０°背屈させ不自然な姿勢で固定しているため、患者に苦痛を与えることがある。また、掌がバンドで押さえつけられた状態でも、指を屈曲すれば親指と人差指でものをつまむことが可能となる。そのため、この器具が装着されたままの状態で腕を動かし、親指と人差指を使って、体の他の部位に挿入された管や針を自ら抜去（いわゆる「自己抜去」）するおそれがある。この自己抜去は、たとえ患者の意識障害が重篤であっても、起こり得る事象である。
【先行技術文献】
【特許文献】
【０００８】
【特許文献１】特開２００６−１０９９６３号公報
【発明の概要】
【発明が解決しようとする課題】
【０００９】
そこで、本発明が解決しようとする課題は、手関節を所定の角度背屈させて安定させることが容易であり、かつ患者の自己抜去を防止する関節抑制具を提供することである。
【課題を解決するための手段】
【００１０】
本発明は、前記課題を解決するためになされたもので、請求項１に記載の発明は、凹状に湾曲して形成された内壁面が前腕及び手を収容して手関節を抑制する関節抑制具であって、前記内壁面に設けられ、前腕の後面を支持する前腕支持面と、前記内壁面に設けられ、背屈した状態の手の甲を支持する手背支持面と、前記手背支持面から離隔して配置され、親指を親指以外の四指から分離して支持する親指分離体とを備え、前記四指が屈曲した場合、前記親指分離体が、前記四指いずれの指先も親指の指先に到達するのを阻止することを特徴とする関節抑制具である。
【００１１】
請求項２に記載の発明は、前記親指分離体が板状に形成されており、前記親指分離体の一の面に親指が支持され、前記親指分離体の他の面と前記手背支持面との間に前記四指が収容されることを特徴とする請求項１に記載の関節抑制具である。
【００１２】
請求項３に記載の発明は、前記内壁面に対向する外壁面に繋げられて設けられた第一の平面をさらに備えることを特徴とする請求項１又は２に記載の関節抑制具である。
【００１３】
請求項４に記載の発明は、前記外壁面から突出する突起体に前記第一の平面が設けられていることを特徴とする請求項３に記載の関節抑制具である。
【００１４】
請求項５に記載の発明は、発泡樹脂で一体に成形されていることを特徴とする請求項１〜４のいずれかに記載の関節抑制具である。
【００１５】
請求項６に記載の発明は、請求項４に記載の関節抑制具と、前記第一の平面と平行な第二の平面を有し、前記関節抑制具の前記突起体を収容して前記関節抑制具と合体する台座とを備えることを特徴とする関節抑制台である。
【発明の効果】
【００１６】
請求項１に記載の発明によれば、装着することで手関節を所定の角度背屈させて安定させることができ、管や針を指でつまんで自己抜去することが阻止される関節抑制具を提供することができる。
【００１７】
請求項２に記載の発明によれば、単純な形状でありながら、確実に親指と親指以外の四指の指先の接触を阻止することができ、かつ患者が安楽な姿勢を維持することができる関節抑制具を提供することができる。
【００１８】
請求項３に記載の発明によれば、転がることなく安定した姿勢を維持することができる関節抑制具を提供することができる。
【００１９】
請求項４に記載の発明によれば、転がることなく安定した姿勢を維持するとともに、突起体の大きさを変えることで高さを調整することができる関節抑制具を提供することができる。
【００２０】
請求項５に記載の発明によれば、軽量であり、患者に快適な触感を与え、安価かつリサイクル可能であり、廃棄が容易な関節抑制具を提供することができる。
【００２１】
請求項６に記載の発明によれば、段階的に高さを調整することができ、患者が使用している治療台に応じて高さを変えることが可能な関節抑制台を提供することができる。
【図面の簡単な説明】
【００２２】
【図１】本発明の第一実施形態に係る関節抑制具を示す図であり、（ａ）は内壁面を見る斜視図、（ｂ）は外壁面を見る斜視図である。
【図２】本発明の第一実施形態に係る関節抑制具を示す図であり、（ａ）は平面図であり、（ｂ）は左側面図である。
【図３】本発明の第一実施形態に係る関節抑制具を示す図であり、（ａ）は図２（ａ）におけるＡ−Ａ断面図、（ｂ）は図２（ａ）におけるＢ−Ｂ断面図、（ｃ）は図２（ａ）におけるＣ−Ｃ断面図、（ｄ）は図２（ａ）におけるＤ−Ｄ断面図である。
【図４】本発明の第一実施形態に係る関節抑制具の使用状態であって、左腕の手関節に装着された関節抑制具を示す図であり、（ａ）は平面図、（ｂ）は左側面図、（ｃ）は正面図、（ｄ）は斜視図である。
【図５】本発明の第二実施形態に係る関節抑制台であって、第一合体状態で合体した関節抑制具と台座とを示す図であり、（ａ）は分解斜視図であり、（ｂ）は手関節に装着された状態を示す左側面図である。
【図６】本発明の第二実施形態に係る関節抑制台であって、第二合体状態で合体した関節抑制具と台座とを示す図であり、（ａ）は分解斜視図であり、（ｂ）は手関節に装着された状態を示す左側面図である。
【発明を実施するための形態】
【００２３】
次に、本発明の実施形態について図面に基づき説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００２４】
（第一実施形態）
本発明の第一実施形態に係る関節抑制具について、図１〜４に基づき説明する。図１は、本発明の第一実施形態に係る関節抑制具を示す図であり、（ａ）は内壁面を見る斜視図、（ｂ）は外壁面を見る斜視図である。図２は、本発明の第一実施形態に係る関節抑制具を示す図であり、（ａ）は平面図であり、（ｂ）は左側面図である。図３は、本発明の第一実施形態に係る関節抑制具を示す図であり、（ａ）は図２（ａ）におけるＡ−Ａ断面図、（ｂ）は図２（ａ）におけるＢ−Ｂ断面図、（ｃ）は図２（ａ）におけるＣ−Ｃ断面図、（ｄ）は図２（ａ）におけるＤ−Ｄ断面図である。図４は、本発明の第一実施形態に係る関節抑制具の使用状態であって、左腕の手関節に装着された関節抑制具を示す図であり、（ａ）は平面図、（ｂ）は左側面図、（ｃ）は正面図、（ｄ）は斜視図である。
【００２５】
本実施形態に係る関節抑制具１００は、橈骨動脈を穿刺される患者の手関節に装着されることにより、手関節の動きを抑制するよう構成されている。関節抑制具１００は、図１（ａ），（ｂ）に示すように、前腕及び手を収容するよう凹状に湾曲して形成された内壁面１０と、内壁面１０に対向する外壁面２０を備えている。本実施形態に係る関節抑制具１００は発泡スチロールで成形されており、内壁面１０と外壁面２０とで規定される肉厚によって、形状が維持されている。内壁面１０は、使用時に前腕及び手に接する面である。内壁面１０と外壁面２０とは、図１（ａ）及び図３（ａ），（ｂ），（ｃ）に示すように、縁面７１，７２により接続されている。また本実施形態に係る関節抑制具１００は、図２（ａ）におけるＤ−Ｄ線に関して対称の形状を有している。
【００２６】
図１（ａ）、図２（ａ）に示すように、内壁面１０には、前腕の後面を支持する前腕支持面１１が基端側に、手の甲を支持する手背支持面１２が先端側に設けられている。図３（ｄ）に示すような縦断面視で、前腕支持面１１と手背支持面１２とは、図３（ｄ）の仮想点Ｐで交差するように角度をもって配置されつつ、滑らかなアールを介して接続されている。そのため、内壁面１０に前腕及び手が収容された場合、手関節が所定の角度背屈することになる。本実施形態に係る関節抑制具１００では、図３（ｄ）に示すような縦断面視で、前腕支持面１１と手背支持面１２とは約１２０°で交差しており、この関節抑制具を装着した場合、手関節は約６０°背屈することになる。
【００２７】
また、図１（ａ）、図２（ａ）に示すように、前腕支持面１１には長手方向に延びる二本の溝１１ａが設けられている。溝１１ａが存在することにより、前腕の後面と長時間接触し続けることによる蒸れが防止される。
【００２８】
関節抑制具１００には親指分離体３０が備えられており、縁面７１，７２から延びる支持部材６１，６２により親指分離体３０が支持されている。親指分離体３０は、内壁面１０の手背支持面１２から先端側に離隔して配置されている（図３（ｄ）参照）。親指分離体３０は基端３０ｂから先端３０ａにかけて長手方向に延びる板状に形成されており、一の面３１と他の面３２とを有している。一の面３１は、親指を支持する面である。一の面３１の反対側に他の面３２が設けられており、凹状に湾曲する手背支持面１２の縁と他の面３２とにより、開口Ｈが形成されている（図１（ｂ）、図２（ａ）、図３（ｄ）参照）。図３（ｄ）に示す縦断面視で、他の面３２と手背支持面１２との間の空間は、親指以外の四指を収容する四指収容部Ｃを構成しており、四指収容部Ｃは開口Ｈに繋がっている。
【００２９】
親指を支持する一の面３１には、幅方向に延びる四本の溝３１ａが設けられている（図１（ａ）、図２（ａ）、図３（ｄ）参照）。他の面３２には、幅方向に延びる二本の溝３２ａと、幅方向に延びる突起３２ｂが設けられている（図１（ｂ）、図３（ｄ）参照）。突起３２ｂは溝３２ａより基端側に配置されている。溝３１ａ，３２ａは蒸れを防止するために設けられている。
【００３０】
図３（ｄ）に示すような縦断面視で、手背支持面１２は前腕支持面１１に対して傾いているが、親指分離体３０の一の面３１もまた、前腕支持面１１及び手背支持面１２両者に対して傾いている。本実施形態に係る関節抑制具１００では、図３（ｄ）において、前腕支持面１１と一の面３１とは約１４５°で交差している。すなわち、親指を支持する一の面３１は、手の甲を支持する手背支持面１２に比べて、約２５°浅い角度に設定されている。
【００３１】
次に外壁面２０について説明する。図１（ｂ）に示すように、外壁面２０は凸状に湾曲しており、凹状に湾曲した内壁面１０との間に肉厚が形成されている。そして外壁面２０のうち先端側の開口Ｈの近傍には、平面に形成された第一の平面４０ａが設けられている。また、図１（ｂ）に示すように、外壁面２０から二つの平行する突起体５１，５２が突出しており、突起体５１，５２にはそれぞれ、平面に形成された第一の平面４０ｂ，４０ｃが設けられている。
【００３２】
図２（ｂ）に示すように、三つの第一の平面４０ａ，４０ｂ，４０ｃは、同一の平面上に存在する。そのため、第一の平面４０ａ，４０ｂ，４０ｃを下にして置くことで、関節抑制具１００を治療台等の水平面に安定して載置することができる。この突起体５１，５２の大きさ、及び外壁面２０における第一の平面４０ａの位置を調整することによって、関節抑制具１００の高さを調整することができる。
【００３３】
次に、本実施形態に係る関節抑制具１００の使用方法を、図４に基づき説明する。図４において符号Ｌで示されているのは人体の左腕Ｌであり、関節抑制具１００が左手関節に装着されているとともに水平な面に載置されている状態が示されている。
【００３４】
図４（ｂ）に示すように、左腕Ｌの手関節に関節抑制具１００が装着されている状態で、前腕の後面Ａは、凹状に湾曲する内壁面１０の前腕支持面１１によって支持されており、手の甲Ｂは、凹状に湾曲する内壁面１０の手背支持面１２により支持されている。そのため、左腕Ｌは前面が上に向いているとともに、前腕支持面１１と手背支持面１２とが交わる角度で手関節が背屈し、その姿勢で安定する。すなわち、図４に示すように、橈骨動脈Ｒが上を向き、橈骨動脈Ｒへの穿刺が容易な姿勢で安定する。
【００３５】
この姿勢において、手の親指Ｔは、親指分離体３０の一の面３１により支持されており、親指以外の四指（人差指Ｆ１、中指Ｆ２、薬指Ｆ３、小指Ｆ４、図４（ｃ）参照）は、親指分離体３０の他の面３２と手背支持面１２との間の空間である四指収容部Ｃに収容される。すなわち、親指分離体３０によって、親指Ｔと四指Ｆ１，・・・，Ｆ４とが分離される。このとき、親指Ｔと人差指Ｆ１の根元同士が繋がる部分に、親指分離体３０の基端３０ｂが当たっている。
【００３６】
関節抑制具１００が手関節に装着されると、手の甲Ｂは手背支持面１２に支持されつつ、親指Ｔは一の面３１に支持される。本実施形態に係る関節抑制具１００は、親指を支持する一の面３１が、手の甲を支持する手背支持面１２に比べて、約２５°浅い角度に設定されている。したがって、関節抑制具１００が手関節に装着されると、手関節を背屈させた状態で親指が自然な姿勢で維持されるため、患者に苦痛を与えることがない。
【００３７】
図４（ｂ）に示すように、掌は、親指分離体３０の他の面３２と向かい合うように位置している。四指Ｆ１，・・・，Ｆ４の指先は、自然な状態で、開口Ｈより先端側かつ他の面３２の下方に位置している。この状態において四指Ｆ１，・・・，Ｆ４を屈曲しても、先端３０ａを超えて一の面３１に到達することはない。また上述のように、親指Ｔと人差指Ｆ１の根元同士が繋がる部分に、親指分離体３０の基端３０ｂが当たっているため、四指Ｆ１，・・・，Ｆ４の指先を伸ばしても先端３０ａを超えて一の面３１に到達することはない。したがって、関節抑制具１００が装着されている限り、親指Ｔと四指Ｆ１，・・・，Ｆ４の指先が接触することがなく、そのため、体の他の部位に挿入された管や針をつまんで自己抜去するおそれがない。
【００３８】
なお、本実施形態に係る関節抑制具１００では、親指分離体３０が板状に形成されているが、親指Ｔと四指Ｆ１，・・・，Ｆ４の指先が接触することが阻止されれば板状に限られず、任意の形状を選択することができる。
【００３９】
なお、関節抑制具１００の使用状況によっては、内壁面１０の前腕支持面１１に前腕の後面Ａが長期間にわたり接触し続ける場合が生じるが、前腕支持面１１に設けられている溝１１ａにより蒸れが防止されている。また、親指分離体３０の一の面３１に親指Ｔが長期間にわたり接触し続ける場合も生じるが、一の面３１に設けられている溝３１ａにより蒸れが防止されている。また、親指分離体３０の他の面３２に四指Ｆ１，・・・，Ｆ４の指先が長期間にわたり接触し続ける場合も生じるが、他の面３２に設けられている溝３２ａにより蒸れが防止されている。
【００４０】
また、橈骨動脈を穿刺するに際して、手関節の橈骨動脈Ｒ近傍に消毒液が塗布される。この時、手関節に塗布された消毒液は、掌から、他の面３２に設けられた突起３２ｂに伝って下に落下する（図３（ｄ）参照）。そのため、消毒液が指先まで伝って他の面３２の溝３２ａに付着することが防止される。
【００４１】
なお、本実施形態に係る関節抑制具１００は発泡スチロールで成形されているため、軽量であり、患者に快適な触感を与えることができる。また、安価かつリサイクル可能であり、廃棄も容易である。また、関節抑制具１００の材質としては、任意の発泡樹脂は勿論、硬質樹脂やその他の材料を選択することも可能である。また、各部位の機能が損なわれない限り、各部位の寸法及び角度は任意に設定することが可能である。例えば、本実施形態に係る関節抑制具１００は、図３（ｄ）に示すような縦断面視で、前腕支持面１１と手背支持面１２とが約１２０°で交差しているが、この角度は任意に設定することができ、特に１２０±１５°の範囲で好適に設定することができる。また、図３（ｄ）に示すような縦断面視で、親指を支持する一の面３１は手の甲を支持する手背支持面１２に比べて、約２５°浅い角度に設定されているが、この角度は任意に設定することができ、特に３０±１５°の範囲で好適に設定することができる。
【００４２】
なお、図４では関節抑制具１００が人体に直接装着されているが、前腕支持面１１と前腕の後面Ａとの間にガーゼやタオル等を挟んで装着することも勿論可能である。また、図４では関節抑制具１００が左腕Ｌに装着されている状態が示されているが、同じ関節抑制具１００を右腕に装着することも可能である。
【００４３】
（第二実施形態）
次に、本発明の第二実施形態に係る関節抑制台について、図５，６に基づき説明する。図５は、本発明の第二実施形態に係る関節抑制台であって、第一合体状態で合体した関節抑制具と台座とを示す図であり、（ａ）は分解斜視図であり、（ｂ）は手関節に装着された状態を示す左側面図である。図６は、本発明の第二実施形態に係る関節抑制台であって、第二合体状態で合体した関節抑制具と台座とを示す図であり、（ａ）は分解斜視図であり、（ｂ）は手関節に装着された状態を示す左側面図である。
【００４４】
本実施形態に係る関節抑制台は、第一実施形態に係る関節抑制具１００と台座２００とから構成される。関節抑制具１００と台座２００とは、合体して関節抑制台を構成するが、これらは二つの合体状態を取り得るよう構成されており、第一合体状態で合体した関節抑制台３００と、第二合体状態で合体した関節抑制台４００とが選択可能である。
【００４５】
まず、第一合体状態について図５に基づいて説明する。関節抑制台３００は、第一実施形態に係る関節抑制具１００と台座２００とから構成される。台座２００は、関節抑制具１００と合体可能に構成されており、関節抑制具１００と合体する際に突起体５１，５２をそれぞれ収容する、突起体収容部２１０，２２０を備えている。突起体収容部２１０と突起体収容部２２０とは対称に構成されているため、図５（ｂ）に基づいて突起体収容部２１０について説明する。突起体収容部２１０は、支持平面２１１、壁面２１２及び壁面２１３により区画されている。関節抑制具１００と台座２００とが合体した際に、支持平面２１１、壁面２１２及び壁面２１３は突起体５１に密着し、特に支持平面２１１は突起体５１の第一の平面４０ｂと密着する。すなわち、突起体５１は突起体収容部２１０に嵌る。これと同様に、突起体５２は突起体収容部２２０に嵌る。
【００４６】
また、第一合体状態における台座２００は、その底部に平面からなる座面２０１を有しており、座面２０１を下にして置くことで、台座２００を治療台等の水平面に安定して載置することができる。そして、座面２０１は支持平面２１１と平行に構成されている。すなわち、関節抑制具１００と台座２００とが第一合体状態で合体した関節抑制台３００を使用すると、図５（ｂ）に示すように、関節抑制具１００を単体で使用した場合に比べ、橈骨動脈Ｒが高い状態で配置されることになり、高さの増分は、座面２０１と支持平面２１１との間の距離に相当する。
【００４７】
次に、第二合体状態について図６に基づいて説明する。関節抑制台４００は、第一実施形態に係る関節抑制具１００と台座２００とから構成される。関節抑制台４００を構成する台座２００は、第一合体状態に係る関節抑制台３００を構成する台座２００と同一であるが、図５に示した台座２００を上下逆に配置して関節抑制具１００に合体したものが、第二合体状態に係る関節抑制台４００である。
【００４８】
台座２００は、関節抑制具１００と合体可能に構成されており、関節抑制具１００と合体する際に突起体５１，５２をそれぞれ収容する、突起体収容部２３０，２４０を備えている。突起体収容部２３０と突起体収容部２４０とは対称に構成されているため、図６（ｂ）に基づいて突起体収容部２３０について説明する。突起体収容部２３０は、支持平面２３１、壁面２３２及び壁面２３３により区画されている。関節抑制具１００と台座２００とが合体した際に、支持平面２３１、壁面２３２及び壁面２３３は突起体５１に密着し、特に支持平面２３１は突起体５１の第一の平面４０ｂと密着する。すなわち、突起体５１は突起体収容部２３０に嵌る。これと同様に、突起体５２は突起体収容部２４０に嵌る。
【００４９】
また、第二合体状態における台座２００は、その底部に平面からなる座面２０２を有しており、座面２０２を下にして置くことで、台座２００を治療台等の水平面に安定して載置することができる。そして、座面２０２は支持平面２３１と平行に構成されている。すなわち、関節抑制具１００と台座２００とが第二合体状態で合体した関節抑制台４００を使用すると、図６（ｂ）に示すように、関節抑制具１００を単体で使用した場合に比べ、橈骨動脈Ｒが高い状態で配置されることになり、高さの増分は、座面２０２と支持平面２３１との間の距離に相当する。
【００５０】
座面２０２を下に向けた第二合体状態の台座２００は、座面２０１を下に向けた第一合体状態の台座２００を、上下逆に配置した状態である。すなわち、座面２０１と座面２０２とは、台座２００の中で対向して配置されている（図５（ａ），図６（ａ）参照）。
【００５１】
また、座面２０２と支持平面２３１との間の距離は、座面２０１と支持平面２１１との間の距離より長く設定されている（図５（ｂ）、図６（ｂ）参照）。したがって、第二合体状態に係る関節抑制台４００を使用した場合、第一合体状態に係る関節抑制台３００を使用した場合より、橈骨動脈Ｒが高い位置に配置される。すなわち、関節抑制具１００と台座２００とを組み合わせることによって、橈骨動脈を三種類の高さに設定することが可能となり、様々な治療台に対応することができる。
【００５２】
なお、本実施形態に係る台座２００は、関節抑制具１００と同様に発泡スチロールで一体に成形されている。発泡スチロール等の発泡樹脂を用いることで、軽量に構成することができ、また安価かつリサイクル可能であり、また廃棄が容易となる。また、発泡樹脂に限らず、硬質樹脂やその他の材料で構成することも可能である。
【符号の説明】
【００５３】
１００  関節抑制具
１０  内壁面
１１  前腕支持面
１２  手背支持面
２０  外壁面
３０  親指分離体
３１  一の面
３２  他の面
４０ａ，４０ｂ，４０ｃ  第一の平面
５１，５２  突起体
２００  台座
２０１，２０２  座面（第二の平面）
２１１，２３１  支持平面
３００，４００  関節抑制台
【図１】
2017000651.tif 000003
【図２】
2017000651.tif 000004
【図３】
2017000651.tif 000005
【図４】
2017000651.tif 000006
【図５】
2017000651.tif 000007
【図６】
2017000651.tif 000008
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
凹状に湾曲して形成された内壁面が前腕及び手を収容して手関節を抑制する関節抑制具であって、
前記内壁面に設けられ、前腕の後面を支持する前腕支持面と、
前記内壁面に設けられ、背屈した状態の手の甲を支持する手背支持面と、
前記手背支持面から離隔して配置され、親指を親指以外の四指から分離して支持する親指分離体とを備え、
前記親指分離体が板状に形成されており、
前記親指分離体の一の面に親指が支持され、
前記親指分離体の他の面と前記手背支持面との間に前記四指が収容され、
前記手背支持面の縁と前記親指分離体の先端とが離隔しており、
前記手背支持面の縁と前記親指分離体の前記他の面とが開口を形成しており、
前記四指が屈曲した場合、前記親指分離体が、前記四指いずれの指先も親指の指先に到達するのを阻止する
ことを特徴とする関節抑制具。
【請求項２】
前記親指分離体の前記一の面が、縦断面視において、前記手背支持面より浅い角度で、前記前腕支持面に対して傾いている
ことを特徴とする請求項１に記載の関節抑制具。
【請求項３】
前記内壁面に対向する外壁面に繋げられて設けられた第一の平面をさらに備える
ことを特徴とする請求項１又は２に記載の関節抑制具。
【請求項４】
前記外壁面から突出する突起体に前記第一の平面が設けられている
ことを特徴とする請求項３に記載の関節抑制具。
【請求項５】
発泡樹脂で一体に成形されている
ことを特徴とする請求項１〜４のいずれかに記載の関節抑制具。
【請求項６】
請求項４に記載の関節抑制具と、
前記第一の平面と平行な第二の平面を有し、前記関節抑制具の前記突起体を収容して前記関節抑制具と合体する台座とを備える
ことを特徴とする関節抑制台。
【手続補正２】
【補正対象書類名】明細書
【補正対象項目名】００１０
【補正方法】変更
【補正の内容】
【００１０】
本発明は、前記課題を解決するためになされたもので、請求項１に記載の発明は、凹状に湾曲して形成された内壁面が前腕及び手を収容して手関節を抑制する関節抑制具であって、前記内壁面に設けられ、前腕の後面を支持する前腕支持面と、前記内壁面に設けられ、背屈した状態の手の甲を支持する手背支持面と、前記手背支持面から離隔して配置され、親指を親指以外の四指から分離して支持する親指分離体とを備え、前記親指分離体が板状に形成されており、前記親指分離体の一の面に親指が支持され、前記親指分離体の他の面と前記手背支持面との間に前記四指が収容され、前記手背支持面の縁と前記親指分離体の先端とが離隔しており、前記手背支持面の縁と前記親指分離体の前記他の面とが開口を形成しており、前記四指が屈曲した場合、前記親指分離体が、前記四指いずれの指先も親指の指先に到達するのを阻止することを特徴とする関節抑制具である。
【手続補正３】
【補正対象書類名】明細書
【補正対象項目名】００１１
【補正方法】変更
【補正の内容】
【００１１】
請求項２に記載の発明は、前記親指分離体の前記一の面が、縦断面視において、前記手背支持面より浅い角度で、前記前腕支持面に対して傾いていることを特徴とする請求項１に記載の関節抑制具である。
【手続補正４】
【補正対象書類名】明細書
【補正対象項目名】００１６
【補正方法】変更
【補正の内容】
【００１６】
請求項１に記載の発明によれば、装着することで手関節を所定の角度背屈させて安定させ、患者が安楽な姿勢を維持することができ、単純な形状でありながら、確実に親指と親指以外の四指の指先の接触を阻止することができ、管や針を指でつまんで自己抜去することが阻止される関節抑制具を提供することができる。
【手続補正５】
【補正対象書類名】明細書
【補正対象項目名】００１７
【補正方法】変更
【補正の内容】
【００１７】
請求項２に記載の発明によれば、患者の手関節及び親指が自然な姿勢で維持され、患者に苦痛を与えることのない関節抑制具を提供することができる。